(57)【要約】      （修正有）【課題】鞄等の持ち物に取り付ける、小型で視認性が高く、また使用形態を自由に変更することができる発光機能付反射材を提供する。【解決手段】ランドセル４４等の持ち物に着脱自在に取り付けるマグネット３４と、再帰性の反射部材２０と、自発光するＬＥＤ２２を備える。ＬＥＤ２２を点滅させる回路基板と、ＬＥＤ２２を発光させる電源、及び反射部材２０は、薄型の透明なケース１８に設けられている。ケース１８を収容する透明な袋部材１４を備え、袋部材１４には、マグネット３４と吊下げ用の紐部材１６を備える。【選択図】図１
0003165128.tif 000002
【実用新案登録請求の範囲】
【請求項１】
持ち物に着脱自在に取り付け可能なマグネットと、再帰性の反射部材と、自発光するＬＥＤと、前記ＬＥＤを点滅させる回路基板と、前記ＬＥＤを発光させる電源が設けられていることを特徴とする発光機能付反射材。
【請求項２】
前記反射部材と前記ＬＥＤ、前記回路基板、及び前記電源は本体ケースに設けられ、前記本体ケースを収容する透明な袋部材を備え、前記袋部材には、前記マグネットと吊下げ用の保持部材が設けられていることを特徴とする請求項１記載の発光機能付反射材。
【請求項３】
前記ＬＥＤは、前記反射部材の周縁部に複数個が設けられ、前記複数個のＬＥＤは点滅を繰り返すことを特徴とする請求項２記載の発光機能付反射材。
【請求項４】
前記持ち物はランドセルであり、前記反射部材を備えた本体ケースは、前記マグネットにより前記ランドセルに取り付けられた磁性体部材に着脱自在に取り付けられることを特徴とする請求項３記載の発光機能付反射材。
【考案の詳細な説明】
【技術分野】
【０００１】
この考案は、鞄等の持ち物に取り付ける発光機能付反射材に関する。
【背景技術】
【０００２】
従来、夜間の交通事故を防ぐために、車両のライトの光が当たると反射する反射材を身につけて視認性を向上させることがある。このような反射材は、板やシートに再帰反射塗料が塗布されて作られ、衣服や、鞄等の小物に粘着剤等で取り付けて使用されている。
【０００３】
また、衣服や小物に直接反射材を取り付けているものもある。例えば、特許文献１に開示されている幼稚園児用ランドセルは、ランドセル型式の鞄において、蓋体の表面に光に反射する繊維で縫込んだマークが設けられている。
【先行技術文献】
【特許文献】
【０００４】
【特許文献１】実開平５−９３２４１号公報
【考案の概要】
【考案が解決しようとする課題】
【０００５】
上記従来の技術の場合、再帰反射塗料は車両のライト等の光が当たらないと光らないため、光が届く距離まで近づかなければ反射材が視認されないという問題がある。特に雨天等の場合は視界が悪く、より近づかないと視認されないため危険であった。なお従来の反射材の場合、全日本交通安全協会の認定を取るためには、５．８ｃｍ×５．８ｃｍの大きさが必要であり、大きすぎて使用しにくく、外見も良好では無かった。そこで、より小形で視認性が良好であり、全日本交通安全協会の認定を得ることも可能な反射材が求められている。
【０００６】
この考案は、上記背景技術の問題点に鑑みてなされたものであり、小型で視認性が高く、また使用形態を自由に変更することができる発光機能付反射材を提供することを目的とする。
【課題を解決するための手段】
【０００７】
この考案は、鞄等の持ち物に着脱自在に取り付け可能なマグネットと、再帰性の反射部材と、自発光するＬＥＤと、前記ＬＥＤを点滅させる回路基板と、前記ＬＥＤを発光させる電源が設けられている発光機能付反射材である。
【０００８】
前記反射部材と前記ＬＥＤ、前記回路基板、及び前記電源は本体ケースに設けられ、前記本体ケースを収容する透明な袋部材を備え、前記袋部材には、前記マグネットと吊下げ用の保持部材が設けられているものである。前記保持部材は環状の紐部材であり、前記紐部材は途中で切断され、切断された一対の端部には互いに係合する連結具が設けられている。前記連結具は、前記紐部材に一定の力が働くと連結が解除されるものである。前記本体ケースは、透明なプラスチックケースから成る。
【０００９】
前記ＬＥＤは、前記反射部材の周縁部に複数個が設けられ、前記複数個のＬＥＤは点滅を繰り返すものである。前記ＬＥＤの点滅は、並べられた順に点滅しても良く、前記ＬＥＤの色は、隣同士で異なる色でも良い。
【００１０】
前記持ち物はランドセルやその他の鞄類であり、前記反射部材を備えた本体は、前記マグネットにより前記ランドセルや鞄類に取り付けられた金属板等の磁性体部材に、着脱自在に取り付けられるものである。
【考案の効果】
【００１１】
この考案の発光機能付反射材は、自発光して視認性が高く、離れた位置の車両から確認することができるとともに、車のライトが当たらないところにいる場合も良好に視認され、夜間の交通事故を防ぐ効果がある。また、マグネットにより簡単な操作で鞄等の持ち物に着脱自在に取り付けられ、持ち物を持たないときは首から保持部材を下げて身に付けることができ、使用形態を変更していろいろな場面に対応することができる。
【００１２】
さらに、請求項２記載の考案の発光機能付反射材のように、袋部材に入れて保護することにより、防水性や耐久性の高いものとすることができる。また、袋部材には保持部材が設けられているため、保持部材を鞄等の小物に連結することにより落下による紛失を防ぐことができる。
【図面の簡単な説明】
【００１３】
【図１】この考案の一実施形態の発光機能付反射材を、ランドセルの蓋部材に取り付けた使用状態を示す斜視図である。
【図２】この実施形態の発光機能付反射材を取り付けるランドセルの斜視図である。
【図３】この実施形態の発光機能付反射材の正面図（ａ）と背面図（ｂ）である。
【図４】この実施形態の発光機能付反射材の袋部材と本体の正面図である。
【図５】この実施形態の発光機能付反射材の、首から下げた使用状態を示す正面図である。
【図６】この実施形態の発光機能付反射材の、ランドセルの肩ベルトに取り付けた使用状態を示す斜視図である。
【図７】この実施形態の発光機能付反射材の、ランドセルの大マチ部に取り付けた使用状態を示す斜視図である。
【考案を実施するための形態】
【００１４】
以下、この考案の実施形態について図面に基づいて説明する。図１〜図７はこの考案の一実施形態を示すもので、この実施形態の発光機能付反射材１０は、薄型の矩形の本体１２と、前記本体１２を収容する袋部材１４が設けられ、袋部材１４には吊下げ用の保持部材である紐部材１６が連結されている。
【００１５】
先ず、図３、図４に基づいて発光機能付反射材１０を詳しく説明する。図３（ａ）は、発光機能付反射材１０の正面図であり、図３（ｂ）は、発光機能付反射材１０の背面図である。図４は、本体１２を袋部材１４に入れる前の正面図である。
【００１６】
発光機能付反射材１０の本体１２は、透明なプラスチックケース１８で作られ、プラスチックケース１８は薄型の矩形に形成されている。プラスチックケース１８の正面内側には、反射部材２０が設けられている。反射部材２０は、例えば板部材に再帰反射塗料が塗布されたものである。反射部材２０は、プラスチックケース１８の正面１８ａより僅かに小さい矩形である。反射部材２０の４箇所の角部と上下の辺の中心に、ＬＥＤ２２が合計６個設けられている。反射部材２０の裏側には、ＬＥＤ２２を点滅させる図示しない回路基板と電源が設けられている。電源は、例えばボタン電池である。ＬＥＤ２２は、例えば互いに異なる色で発光し、回路基板に設けられた制御回路により、並んでいる順番に回転するように点滅を繰り返す。
【００１７】
袋部材１４は、２枚の透明でフレキシブルな合成樹脂シートを重ねて熱圧着して作られている。袋部材１４の中心には、本体１２を入れる筒状の収容部２４が設けられ、上下方向に挿通し下方に開口部３０が開口されている。収容部２４の上端縁部２４ａはヒートシールで閉鎖され、台形状の取付部２６が連接して設けられている。取付部２６のほぼ中心には紐部材１６を挿通する透孔２８が形成されている。
【００１８】
収容部２４の下端縁部はヒートシールされず開口部３０となっている。収容部２４の正面部２４ｂは開口部３０よりも長く下方に延出し、正面部２４ｂの下端縁部には下方に凸となる台形状のマグネット保持部３２が連続して設けられている。マグネット保持部３２は、収容部２４の正面部２４ｂに、正面部２４ｂとは別の合成樹脂シートを重ねて周縁部をヒートシールして密閉されている。マグネット保持部３２の中には、左右両側寄りに、円形の２個のマグネット３４が入れられ固定されている。マグネット３４は、正面部２４ｂに磁力が強い面が位置している。マグネット保持部３２の中心には、ホックボタン受け部３６が設けられている。収容部２４の背面部２４ｃには、ホックボタン受け部３６に係合する係合突起３７が設けられている。
【００１９】
紐部材１６は、図１に示すように一本の端部同士にホック３８が設けられたものであり、ホック３８を閉じると環状となる。紐部材１６の端部は袋部材１４近傍に位置し、袋部材１４の透孔２８に挿通し、ホック３８を止めて連結されている。紐部材１６のホック３８よりも袋部材１４から離れたところには、紐部材１６を束ねる環部材４０が設けられている。環部材４０よりも袋部材１４から離れた部分は、途中で切断され、切断された一対の端部には、互いに係合する連結具４２が設けられている。連結具４２は、紐部材１６に一定の力が働くと連結が解除される。
【００２０】
次に、この考案の発光機能付反射材１０の組立方法について説明する。先ず、袋部材１４のホックボタン受け部３６を係合突起３７から外して開口部３０を露出し、本体１２を開口部３０から差し込んで収容部２４の内側にセットする。マグネット保持部３２を背面部２４ｃへ折り返し、ホックボタン受け部３６を係合突起３７に係止して開口部３０を閉鎖する。そして、紐部材１６のホック３８を外して紐部材１６の一端部を袋部材１４の透孔２８に挿通してホック３８を閉じ、連結する。
【００２１】
次にこの考案の発光機能付反射材１０の使用方法について説明する。図１、図２に示すように、発光機能付反射材１０をランドセル４４に取り付けて使用する例について説明する。ここで、ランドセル４４は、物品を収容する収容部４６が設けられている。収容部４６は、上方に開口部４６ａが設けられた箱形であり、両脇の側面は大マチ部４６ｂである。収容部４６の背面４６ｃの上部には、一対の肩ベルト４８が設けられている。一対の肩ベルト４８の間には、フック等に吊下げる環部材４９が設けられている。ランドセル４４の収容部４６には、開口部４６ａを覆う蓋部材５０が設けられている。ここでは発光機能付反射材１０は、蓋部材５０の先端縁部５０ａの近傍に取り付けられている。
【００２２】
ランドセル４４の、発光機能付反射材１０が取り付けられる位置には、図２に示すように水平方向に長い矩形の強磁性体の金属板５２が埋め込まれて設けられている。蓋部材５０の先端縁部５０ａ付近には、芯材として図示しないシート状のスポンジが設けられている。スポンジには、金属板５２が嵌合される透孔が形成され、その透孔の中に金属板５２が嵌合されて取り付けられている。スポンジと金属板５２の表側面には表生地が重ねられ、裏側面には裏生地と頭生地が重ねられて、覆われている。
【００２３】
次に、発光機能付反射材１０の取付方法について説明する。発光機能付反射材１０のマグネット３４を、ランドセル４４の蓋部材５０の金属板５２に付ける。マグネット３４は、マグネット保持部３２の両脇に２個設けられているため、水平方向に長い矩形の金属板５２に沿って、傾かずに水平に取り付けられる。そして、発光機能付反射材１０の紐部材１６を、蓋部材５０の基端部５０ｂに向かって引き上げ、背面４６ｃの環部材４９に連結する。環部材４９への連結方法は自由であり、環部材４９に紐部材１６を輪にして挿入し発光機能付反射材１０をこの輪に挿通して引き締めたり、連結具４２を一旦外して紐部材１６を切断し一方を環部材４９に挿入して再び連結具４２で環状にしても良い。また、紐部材１６に環部材４９に取り付けるフック部材等を付けても良い。また、紐部材１６の環部材４９近傍に切断部を設け、切断した端部にホック３８を取り付けて着脱自在としても良い。
【００２４】
また、この実施形態の発光機能付反射材１０は、ランドセル４４から外して図５に示すように使用者の首に紐部材１６をかけて身に付けても良い。このとき、紐部材１６の途中には連結具４２が設けられ、紐部材１６に強い力が加えられると連結具４２が外れて紐部材１６は切断されるため、紐部材１６が何かに引っ掛かり首が絞まることが無く安全である。
【００２５】
また、この実施形態の発光機能付反射材１０は、図６に示すようにランドセル４４の肩ベルト４８に取り付けられても良い。このとき、肩ベルト４８の途中に、強磁性体の小型の金属板５２が埋め込まれている。肩ベルト４８の内側には、図２の蓋部材５０と同様に芯材としてスポンジが設けられ、スポンジに透孔が形成され、その透孔の中に金属板５２が嵌合されている。スポンジと金属板５２の表側面には表生地が重ねられ、裏側面には裏生地が重ねられて覆われている。
【００２６】
また、この実施形態の発光機能付反射材１０は、図７に示すようにランドセル４４の収容部４６の両脇の側面である大マチ部４６ｂに取り付けられても良い。このとき、大マチ部４６ｂに金属板５２が埋め込まれている。大マチ部４６ｂの内側には、芯材としてスポンジが設けられ、スポンジに透孔が形成され、その透孔の中に金属板５２が嵌合されている。スポンジと金属板５２の表側面には表生地が重ねられ、裏側面にはボール芯が重ねられて覆われている。
【００２７】
この実施形態の発光機能付反射材１０によれば、ＬＥＤ２２が確実に自発光して視認性が高く、また使用形態を自由に変更することが可能である。車両のライト等の光が当たらなくても発光するため、約７０ｍの距離から視認することができ、夜間の交通事故を防ぐ効果がある。また、小形化と高い視認性と言う相反する効果を得ることができる。
【００２８】
さらに、マグネット３４により簡単な操作でランドセル４４等に着脱自在であり、ランドセル４４等を持たないときは、ランドセル４４から外し、首に紐部材１６をかけて身につけることができ、使用形態を自由に変更することができる。例えば、登校と下校の際はランドセル４４に付け、帰宅後はランドセル４４から外して首から下げたり他の鞄に付け書いたりして、塾や遊びに外出することができる。夕方になり暗くなっても、視認性が高いため安全である。
【００２９】
また、紐部材１６が設けられているため、紐部材１６をランドセル４４の環部材４９等に連結し、落下による紛失を防ぐことができる。特に、発光機能付反射材１０をランドセル４４の蓋部材５０や肩ベルト４８等の見やすいところに取り付けると障害物に当たってマグネット３４が剥がれ落下するおそれがあるが、紐部材１６でランドセル４４に連結されているため安全である。袋部材１４にはマグネット３４が２個並べて設けられているため、金属板５２の長手方向に２個のマグネット３４が付くことにより位置決めが簡単で、水平方向に本体１２の長手方向が一致し、傾くことが無く、きれいに付けることができる。また、本体１２は袋部材１４に入れられて保護され、袋部材１４の開口部３０が下方に開口されているため防水性も高く、雨や雪が降っても故障が発生せず耐久性が高いものとなる。
【００３０】
なお、この考案の発光機能付反射材は、上記実施の形態に限定されるものではなく、本体の形状や、反射部材とＬＥＤの形状や数、配置等、自由にデザインすることができる。袋部材や保持部材の形状や長さも、本体や取り付ける持ち物に合わせて適宜変更可能である。本体や袋部材に、子供用のイラストを設けてもよい。マグネットの数や形状も変更可能である。保持部材は紐部材以外でも良く、キーホルダー式の止め具等でも良い。発光機能付反射材を取り付ける持ち物は、ランドセル以外に手提げ鞄や雨具等何でもよい。芯材に金属が入っている持ち物には自由に取り付けることができる。金属を使用していない持ち物には、金属板やその他磁性体を両面テープ等で接着して、これに発光機能付反射材を取り付けても良い。
【符号の説明】
【００３１】
１０  発光機能付反射材
１２  本体
１４  袋部材
１６  紐部材
２０  反射部材
２２  ＬＥＤ
３４  マグネット
４４  ランドセル
５２  金属板
【図１】
0003165128.tif 000003
【図２】
0003165128.tif 000004
【図３】
0003165128.tif 000005
【図４】
0003165128.tif 000006
【図５】
0003165128.tif 000007
【図６】
0003165128.tif 000008
【図７】
0003165128.tif 000009